(57)【要約】【課題】要介助者等でも履きやすく且つ脱ぎやすい靴を提供すること。【解決手段】使用者の足の足裏側を配置するための靴底部１１０と、靴底部から立ち上がるように、且つ使用者の足を包むように形成されるアッパー本体部１２０と、使用者の足の踵を配置するための踵部１３０と、アッパー本体部には、使用者の足を挿入するための履き口部１４０とを備える靴であって、履き口部の踵側には、柔軟な材質が配置されていると共に、履き口部の踵側から上方に向かって突出して配置可能な把持片１５０が形成され、把持片は、踵部の外側に向かって折り返し可能な構成となっていると共に、この折り返しにより、履き口部の開口が踵側に広げられる構成となり、把持片及び／または前記踵部の外側には、把持片の折り返し状態を維持するための折り返し固定部１６０,１６１が形成されている靴１００。【選択図】図１
2007125365.tif 000002
【特許請求の範囲】
【請求項１】
使用者の足の足裏側を配置するための靴底部と、
前記靴底部から立ち上がるように、且つ使用者の足を包むように形成されるアッパー本体部と、
使用者の足の踵を配置するための踵部と、
アッパー本体部には、使用者の足を挿入するための履き口部とを備える靴であって、
前記履き口部の踵側には、柔軟な材質が配置されていると共に、前記履き口部の踵側から上方に向かって突出して配置可能な把持片が形成され、
前記把持片は、前記踵部の外側に向かって折り返し可能な構成となっていると共に、この折り返しにより、前記履き口部の開口が踵側に広げられる構成となり、
前記把持片及び／または前記踵部の外側には、前記把持片の折り返し状態を維持するための折り返し固定部が形成されていることを特徴とする靴。
【請求項２】
前記折り返し固定部は、
前記履き口部の開口を踵側に広げられた拡開状態に固定するための拡開状態固定部と、
前記履き口部の開口を利用者の足を保持する足保持状態に固定するための足保持状態固定部と、を有することを特徴とする請求項１に記載の靴。
【請求項３】
前記折り返し固定部は、
前記把持片の内面側に形成された、把持片面ファスナーと、
前記踵部の外面側に形成された、前記把持片面ファスナーに対応する踵部面ファスナーとで構成され、
前記把持片が折り返される方向において、前記把持片面ファスナー又は前記踵部面ファスナーのいずれか一方が他方より大きく形成されていることを特徴とする請求項２に記載の靴。
【請求項４】
前記踵部における、前記踵部面ファスナーに対応した内面またはその近傍には、合成を高めるためのカウンター部が配置されていることを特徴とする請求項３に記載の靴。
【請求項５】
前記履き口部の少なくとも踵部側内面には、足を挿入させやすい足案内面が形成され、
前記足案内面では、足を靴から抜くときに足に抵抗が生じる構成となっていることを特徴とする請求項１乃至請求項４のいずれかに記載の靴。
【請求項６】
前記履き口部の踵側には、上方に突出して形成される履き口突出部が形成されており、
前記履き口突出部の先端から前記把持片が延出していることを特徴とする請求項１乃至請求項５のいずれかに記載の靴。
【請求項７】
使用者の足の足裏側を配置するための靴底部と、
前記靴底部から立ち上がるように、且つ使用者の足を包むように形成されるアッパー本体部と、
使用者の足の踵を配置するための踵部と、
アッパー本体部には、使用者の足を挿入するための履き口部とを備える靴であって、
前記履き口部の踵側には、柔軟な材質が配置されていると共に、前記履き口部の踵側から上方に向かって突出して配置された突片が形成され、
前記突片は、前記踵部の外側に向かって折り返し可能な構成となっていると共に、この折り返しにより、前記履き口部の開口が踵側に広げられる構成となり、
前記突片は、前記踵部の外側に固定されていることを特徴とする靴。
【請求項８】
使用者の足の足裏側を配置するための靴底部と、
前記靴底部から立ち上がるように、且つ使用者の足を包むように形成されるアッパー本体部と、
使用者の足の踵を配置するための踵部と、
アッパー本体部には、使用者の足を挿入するための履き口部とを備える靴であって、
前記履き口部の踵側には、柔軟な材質が配置されていると共に、使用者の足が当接する、少なくとも前記履き口部の踵側における天面部から前記履き口部の踵側内面にわたって、一方向に摩擦が生じやすい、方向性を有する材料によって摩擦面とされた、足案内面が形成されていることを特徴とする靴。
【請求項９】
前記履き口部の踵側には、前記踵部における内面よりも爪先側に突出するように形成される踵保持部が配置され、
前記踵保持部が、柔軟な材質から成るクッション層と、このクッション層より剛性が高い材質から成る剛性層とを有することを特徴とする請求項１乃至請求項８のいずれかに記載の靴。
【発明の詳細な説明】
【技術分野】
【０００１】
本発明は、使用者が歩行に際し、使用する靴に関するものである。
【背景技術】
【０００２】
利用者が靴を履きやすくするために、靴べら状の突出片を靴の履き口の踵側から上方に突出するように形成したものが提案されている（例えば、特許文献１等）。このような突出片は、靴べらとして使用しないときは、折り返されて靴の踵の外側に配置される構成となっている。また、靴べらを内蔵している靴も提案されている。
【特許文献１】実開平５−３７１０３号公報（図３等）
【特許文献２】実用新案登録第３０６４７００号公報（図１等）
【特許文献３】特開平９−７０３０１号公報（図１等）
【発明の開示】
【発明が解決しようとする課題】
【０００３】
しかしながら、特許文献１等に示すような突出片や靴べら等を幼児用靴や要介助者用の靴に用いても、幼児や要介助者が、かかる突出片や靴べら等を上手に操作できないため履きやすい靴とはならないという問題があった。
【０００４】
そこで、幼児等を含む様々な利用者が履きやすく、不用意に脱げづらい靴を提供することを目的とする。
【課題を解決するための手段】
【０００５】
前記課題は、請求項１の発明によれば、使用者の足の足裏側を配置するための靴底部と、前記靴底部から立ち上がるように、且つ使用者の足を包むように形成されるアッパー本体部と、使用者の足の踵を配置するための踵部と、アッパー本体部には、使用者の足を挿入するための履き口部とを備える靴であって、前記履き口部の踵側には、柔軟な材質が配置されていると共に、前記履き口部の踵側から上方に向かって突出して配置可能な把持片が形成され、前記把持片は、前記踵部の外側に向かって折り返し可能な構成となっていると共に、この折り返しにより、前記履き口部の開口が踵側に広げられる構成となり、前記把持片及び／または前記踵部の外側には、前記把持片の折り返し状態を維持するための折り返し固定部が形成されていることを特徴とする靴により達成される。
【０００６】
前記構成によれば、履き口部の踵側から上方に向かって突出して配置可能な把持片が形成され、把持片は、踵部の外側に向かって折り返し可能な構成となっていると共に、この折り返しにより、履き口部の開口が踵側に広げられる構成となっている。
このように履き口部の開口が踵側に広げられているので、幼児等にとって履きやすい靴となっている。
また、把持片及び／または前記踵部の外側には、把持片の折り返し状態を維持するための折り返し固定部が形成されているので、この固定部で把持片の折り返し状態を維持させることができるので、幼児等が履き易いように履き口部の開口を広げた状態に確実に維持させることができる。
また、前記履き口部の踵側には、柔軟な材質が配置されているので、幼児等の踵に当接する部分が柔軟な材質でなり、靴を履く際に、幼児等に不快感を与えることない構成となっている。
また、履き口部の踵側から上方に向かって突出して配置可能な把持片が形成されている。このため、介助者等が幼児等に靴を履かせる際に、この把持片を把持して靴べらの機能を発揮させることで、幼児等に靴を履かせ易い構成ともなっている。
【０００７】
好ましくは、請求項２の発明によれば、請求項１の構成において、前記折り返し固定部は、前記履き口部の開口を踵側に広げられた拡開状態に固定するための拡開状態固定部と、前記履き口部の開口を利用者の足を保持する足保持状態に固定するための足保持状態固定部と、を有することを特徴とする靴である。
【０００８】
前記構成によれば、折り返し固定部は、履き口部の開口が踵側に広げられる拡開状態に固定する拡開状態固定部と、履き口部の開口が利用者の足を保持する足保持状態に固定する足保持状態固定部と、を有する。
このため、幼児等が自ら靴を履いたり脱いだりするときは、把持片を拡開状態固定部で固定することで、幼児等が自ら履きやすく且つ脱ぎやすい靴となる。
一方、母親等の介助者が履かせる場合等においては、把持片を足保持状態固定部に固定することで、幼児等の足は、靴によって、しっかりホールドされ、歩行し易い靴となる。
【０００９】
好ましくは、請求項３の発明によれば、請求項２の構成において、前記折り返し固定部は、前記把持片の内面側に形成された、把持片面ファスナーと、前記踵部の外面側に形成された、前記把持片面ファスナーに対応する踵部面ファスナーとで構成され、前記把持片が折り返される方向において、前記把持片面ファスナー又は前記踵部面ファスナーのいずれか一方が他方より大きく形成されていることを特徴とする靴である。
【００１０】
前記構成によれば、把持片が折り返される方向において、把持片面ファスナー又は踵部面ファスナーのいずれか一方が他方より大きく形成されている。このため、把持片が折り返される方向において、把持片面ファスナーと踵部面ファスナーの係合位置を調整することで、履き口部の開口が踵側に広げられる程度を調整できる。
したがって、履き口部の開口を、幼児等の足の大きさや歩行の発達状態、自ら履くことができるか等の成長段階等に合致させるべく調整することができる。
【００１１】
好ましくは、請求項４の発明によれば、請求項３の構成において、前記踵部における、前記踵部面ファスナーに対応した内面またはその近傍には、剛性を高めるためのカウンター部が配置されていることを特徴とする靴である。
【００１２】
前記構成によれば、踵部には、踵部面ファスナーに対応した内面またはその近傍に、剛性を高めるためのカウンター部が配置されているので、把持片の把持片面ファスナーを踵部の踵部面ファスナーと係合させ、把持片を踵部に固定する際、その固定が強固となる。
したがって、履き口部の開口を踵側に広げる程度を調整したときも、その開口の広がり程度が変更せず、所望の大きさで維持させることができる。
また、踵部のカウンター部の近傍に把持片が固定されることで踵部自体の剛性がさらに高まり、幼児等が履く際に無理に履いても踵部がつぶれ難い等、履きやすい靴となる。
【００１３】
好ましくは、請求項５の発明によれば、請求項１乃至請求項４のいずれかの構成において、前記履き口部の少なくとも踵部側内面には、足を挿入させやすい足案内面が形成され、前記足案内面では、足を靴から抜くときに足に抵抗が生じる構成となっていることを特徴とする靴である。
【００１４】
前記構成によれば、履き口部の少なくとも踵部側内面には、足を挿入させやすい足案内面が形成され、足案内面では、足を靴から抜くときに足に抵抗が生じる構成となっている。
このため、幼児等が靴を履く際には、その足の踵が足案内面に案内されてアッパー本体内に導かれるので、履きやすい靴となる。
また、靴を履いて歩行するときは、幼児等の足の踵が靴から出る方向に移動すると抵抗が生じるため、足の踵を靴内に確実に保持（ホールド）させることができる構成となっている。したがって、例え把持片が折り返され、履き口部の開口が踵側に広げられた状態のまま幼児等が歩行をしても、脱げにくい靴となっている。
【００１５】
好ましくは、請求項６の発明によれば、請求項１乃至請求項５のいずれかの構成において、前記履き口部の踵側には、上方に突出して形成される履き口突出部が形成されており、前記履き口突出部の先端から前記把持片が延出していることを特徴とする靴である。
【００１６】
前記構成によれば、履き口部の踵側には、上方に突出して形成される履き口突出部が形成され、履き口突出部の先端から前記把持片が延出している。このため、把持片が踵部の外側に向かって折り返して配置されると、上方に突出して形成されている履き口突出部が折り返される方向（後ろ方向）に向かって倒れ、履き口部の開口を大きく形成することができる。また、踵部側が高くなることとなり、ホールド性が高まる。
したがって、幼児等にとって履きやすく且つ脱ぎやすい靴となっている。
【００１７】
前記課題は、請求項７の発明によれば、使用者の足の足裏側を配置するための靴底部と、前記靴底部から立ち上がるように、且つ使用者の足を包むように形成されるアッパー本体部と、使用者の足の踵を配置するための踵部と、アッパー本体部には、使用者の足を挿入するための履き口部とを備える靴であって、前記履き口部の踵側には、柔軟な材質が配置されていると共に、前記履き口部の踵側から上方に向かって突出して配置された突片が形成され、前記突片は、前記踵部の外側に向かって折り返し可能な構成となっていると共に、この折り返しにより、前記履き口部の開口が踵側に広げられる構成となり、前記突片は、前記踵部の外側に固定されていることを特徴とする靴により達成される。
前記構成によれば、履き口部の踵側から上方に向かって突出して配置された突片が形成され、突片は、踵部の外側に向かって折り返し可能な構成となっていると共に、この折り返した状態で固定されることで、履き口部の開口が踵側に広げられる構成となっている。
このため、履き口部の開口が踵側に広げられた状態で固定されているので、幼児等にとって履きやすい靴となっている。
【００１８】
前記課題は、請求項８の発明によれば、使用者の足の足裏側を配置するための靴底部と、前記靴底部から立ち上がるように、且つ使用者の足を包むように形成されるアッパー本体部と、使用者の足の踵を配置するための踵部と、アッパー本体部には、使用者の足を挿入するための履き口部とを備える靴であって、前記履き口部の踵側には、柔軟な材質が配置されていると共に、使用者の足が当接する、少なくとも前記履き口部の踵側における天面部から前記履き口部の踵側内面にわたって、一方向に摩擦が生じやすい、方向性を有する材料によって摩擦面とされた、足案内面が形成されていることを特徴とする靴により達成される。
【００１９】
前記構成によれば、履き口部の踵側には、柔軟な材質が配置されていると共に、使用者の足が当接する、少なくとも履き口部の踵側における天面部から履き口部の踵側内面にわたって、一方向に摩擦が生じやすい、方向性を有する材料によって摩擦面とされた、足案内面が形成されている。
このため、例えば、幼児等が靴を履く際には、爪先を履き口部から挿入していき、幼児の足の甲のおける足高点（人の足の骨格のうち、甲の最も高い部分）がアッパー本体部側に当接した状態から、その足の踵が足案内面に案内されてアッパー本体内に導かれる構成とすることができるので、履きやすい靴となる。
また、靴を履いて歩行するときは、幼児等の足の踵が靴から出る方向に移動すると抵抗が生じるようにすることができるため、足の踵を靴内に確実に保持（ホールド）させつつ、足が抜け出ること防ぐ構成となっている。
したがって、幼児等が歩行をしても、脱げにくい靴となっている。
【００２０】
好ましくは、請求項９の発明によれば、請求項１乃至請求項８のいずれかの構成において、前記履き口部の踵側には、前記踵部における内面よりも爪先側に突出するように形成される踵保持部が配置され、前記踵保持部が、柔軟な材質から成るクッション層と、このクッション層より剛性が高い材質から成る剛性層とを有することを靴である。
【００２１】
前記構成によれば、履き口部の踵側には、踵部における内面よりも爪先側に突出するように形成される踵保持部が配置され、踵保持部が、柔軟な材質から成るクッション層と、このクッション層より剛性が高い材質から成る剛性層とを有する構成となっている。
したがって、幼児等が履き口部から足を入れる際、足が履き口部の踵側を踏むように足を挿入しても、靴の踵側が踵によって潰れ難い構成となっている。
また、幼児等が靴を履いたときは、踵保持部が爪先側に突出するように形成されるので、踵保持部によって歩行時でも足が靴に保持されやすい構成となっている。
【発明の効果】
【００２２】
本発明は、幼児等を含む様々な利用者が履きやすく、不用意に脱げづらい靴を提供できるという利点がある。
【発明を実施するための最良の形態】
【００２３】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２４】
（第１の実施の形態）
図１は、本発明の第１の実施の形態に係る幼児用靴１００を示す概略斜視図である。
図１に示すような幼児用靴１００は、例えば１才６ヶ月乃至３才程度の幼児のための靴である。この時期になると幼児も歩行が上手になり始め、自分で走ったりするだけに止まらず、自分自身で靴を履きたがる時期となっている。
【００２５】
図１に示すように、幼児用靴１００は、使用者である例えば、幼児の足の足裏を配置するための靴底部１１０を有している。また、幼児用靴１００は、靴底部１１０から立ち上がるように、且つ幼児の足を包むように形成されるアッパー本体部１２０や、幼児の足の踵を配置するための踵部１３０を有している。
また、幼児用靴１００のアッパー本体部１２０には、幼児の足を挿入するための履き口部１４０を有している。
この履き口部１４０の踵側には、幼児等の介助者である保護者等が操作する把持片１５０が形成されている。この把持片１５０は、図１に示すように踵部１３０の外側に向かって折り返し可能な構成となっている。
【００２６】
図２は、図１の把持片１５０を折り返さない状態示す概略図である。図２に示すように、把持片１５０は履き口部１４０の踵側から上方に向かって突出して配置可能な構成となっている。
また、把持片１５０の内面側には、把持片１５０が折り返し状態（図１等参照）を維持するための把持片１５０側の折り返し固定部である例えば、把持片面ファスナー１６０が形成されている。なお、この把持片面ファスナー１６０は雌部材とされている。
また、図２に示すように、踵部１３０の外面側、すなわちアッパー本体部１２０の踵側外面（幼児用靴１００における後端側外面）には、把持片面ファスナー１５０に対応する踵部の外側の折り返し固定部である踵部面ファスナー１６１が形成されている。なお、この踵部面ファスナー１６１は雄部材とされている。
そして、把持片１５０が折り返される方向である図２の矢印Ｙ方向において、把持片面ファスナー１６０が踵部面ファスナー１６１より大きく形成されている。つまり、把持片１５０は履き口部１４０から突出する方向が長手方向となるよう構成されており、把持片面ファスナー１６０は、少なくとも把持片１５０の長手方向に渡って配置されることで、その面積が大きくなるよう形成されている。なお、把持片面ファスナー１６０よりも、踵部面ファスナー１６１の面積を大きくなるよう形成してもよい。
【００２７】
また、図２の把持片面ファスナー１６０には、履き口部１４０の開口を踵部１３０側に広げた拡開状態に固定するための拡開状態固定部１６０ａと、履き口部１４０の開口を幼児等の足を保持する足保持状態に固定するための足保持状態固定部１６０ｂとを有している。なお、ここでは各固定部１６０ａ，１６０ｂは大きくされたその面積内における領域によって機能するよう構成されているが、機能別に二箇所形成してもよい。
図３は、図２の把持片１５０の把持片面ファスナー１６０の拡開状態固定部１６０ａを踵部面ファスナー１６１と係合させた状態を示す概略図である。
図３では、把持片１５０を折り返して、矢印Ｙ方向の下側に深く固定するため、履き口部１４０が図１より踵側、すなわち幼児用靴１００の後端側（矢印Ｘ方向）に広がる構成となっている。
【００２８】
また、図１に示すように、履き口部１４０の踵側には上方に突出して形成される履き口突出部１４１があり、この履き口突出部１４１に連接して延出されるよう把持片１５０が形成されている。つまり、履き口部１４０は側面側に対して、後端側（踵側）がなだらかに高くなるよう構成されている。
このため、図３に示すように把持片１５０を、その拡開状態固定部１６０ａで固定すると、図１の履き口突出部１４１が図３のＸ方向に向かって倒れる、すなわち把持片１５０に上下方向であるＹ方向に引っ張られることで、延出された履口突出部１４１の基部が強く屈曲させられて、Ｘ方向とＹ方向との中間となる斜め下方向に変形させられるので、履き口部１４０の開口をより大きく開いた構成とすることができる。
【００２９】
一方、履き口突出部１４１との境界で把持片１５０を屈曲させ、把持片面ファスナー１６０の足保持状態固定部１６０ｂを踵部面ファスナー１６１と係合させ固定すると、履き口部１４０の踵側は図３のＸ方向に倒れることなく図１のように起立した状態となる。
しかも、足保持状態固定部１６０ｂで係合した状態では、拡開状態固定部１６０ａの領域が僅かに浮き上がるため、把持片１５０の取り外しが容易となり、例えば母親等の介助者が靴を履かせたり脱がせたりする際や、幼児が自ら把持部１５０を操作して履く際には、把持部１５０を掴んで履けるため、履きやすい。
このため、履きやすいにもかかわらず、靴の中に挿入された足が靴によって、しっかりホールドされ、歩行し易い状態となる。
【００３０】
このように、本実施の形態では、把持片１５０は、把持片１５０の折り返し状態を維持するための拡開状態固定部１６０ａ及び足保持状態固定部１６０ｂが形成されているので、幼児等が幼児用靴１００を履いたり脱いだりするときは、把持片１５０を拡開状態固定部１６０ａで拡開状態に固定した状態で使用することで、履き口部１４０の開口を大きくすることができ、履きやすく且つ脱ぎやすい幼児用靴１００となる。
このとき、特に履き口突出部１４１が形成されているので、より大きな開口の形成が可能となっている。
一方、例えば介助者等が脱がしたり履かしたりして使用するときは、把持片１５０を足保持状態固定部１６０ｂで足保持状態に固定することで、履き口部１４０の開口を大きく広げることなく、幼児等の足をホールドすることができ、履きやすいだけでなく、幼児にとって歩行しやすい幼児等靴１００となる。
以上のように、把持片１５０の固定位置を変えることで、履き易く且つ脱ぎ易いと共に、歩行中に足をしっかり保持（ホールド）する幼児用靴１００を提供することが可能となっている。
すなわち、従来は、履きやすくするため、履き口部の開口を大きく形成すると、歩行中の幼児用靴による足の保持（ホールド）が不十分となる等の問題があったが、本実施の形態では、このような相反する問題を簡易な構成で解決している。
【００３１】
また、本実施の形態では、図２に示すように、把持片１５０が折り返される方向である図２の矢印Ｙ方向において、把持片面ファスナー１６０が踵部側面ファスナー１６１より大きく形成されている。このため、把持片面ファスナー１６０と踵部面ファスナー１６１との係合位置は一定ではなく、利用者は、把持片面ファスナー１６０を矢印Ｙ方向に沿って移動させつつ係合位置を変更するよう無段階に調整することができる。
したがって、把持片面ファスナー１６０と踵部面ファスナー１６１との係合位置を調整することで、図３の履き口部１４０の開口の大きさを履く使用者の状況に応じて選択する事ができる構成となっている。
このため、履き口部１４０の開口を利用者である個々の幼児等の足の大きさや発達状況等に合致させるべく容易に調整することできる。
なお、本実施の形態と異なり、本実施の形態の踵部面ファスナー１６１と把持片面ファスナー１６０に相当する部分の大きさが略同等とされても良い。この場合は、双方の相対位置をずらして、即ち、踵部面ファスナー１６１に対する把持片面ファスナー１６０の位置をずらして固定することで、本実施の形態と同様の機能を発揮する。
【００３２】
図４は、図１の履き口部１４０の踵側、把持片１５０及び踵部１３０等の断面を示す概略図である。
図４に示すように、履き口部１４０の踵側内側には履き口裏地１７０が配置されている。この履き口裏地１７０が、足を挿入させやすい足案内面とされ、この足案内面では、足を案内すると共に、足を靴から抜くときに足に抵抗が生じる構成となっている。
具体的には、この履き口裏地１７０の表面には、一方向（靴の下から上に向かう方向）に摩擦が生じやすいように、例えば、毛の方向性が規定された起毛材等の方向性を有する材料によって摩擦面が形成されている。
すなわち、幼児等が幼児用靴１００を履くとき、図４の履き口裏地１７０の表面に足の踵が当接すると、足は起毛されている摩擦面の摩擦が生じず、逆に足が入る方向に促して移動させるので、円滑に足を幼児用靴１００内に挿入することができる。
一方、幼児等が幼児用靴１００を履いて歩行する時に、足の踵が履き口部１４０から出る方向に移動しても、今度は摩擦面による摩擦抵抗が生じ易いので、踵に抵抗が生じ、足の踵を幼児用靴１００に確実に保持（ホールド）させることができる構成となっている。
【００３３】
ところで、図３に示すように、把持片１５０を折り返し、履き口部１４０の開口を大きく形成させた場合は、一般に挿入された足が歩行中、幼児用靴１００から脱げ易い傾向にあるが、本実施の形態では、履き口裏地１７０に上述の摩擦部が形成されているため、脱げにくく歩行し易い構成となっている。
しかも、摩擦面である履き口裏地１７０は、履き口突出部１４１の上端まで配置されているため、履き口部１４０の開口を拡げた場合、履き口裏地１７０が外部に露出するよう上面にまで配置されるため、足を爪先から挿入しても踵が履き口裏地１７０に必ず当接するので、踵が履き口１４０の内側に入り込むよう促されることになり、履きやすい。
【００３４】
また、図４に示すように、履き口裏地１７０の内側（図の右側）には、柔軟な材質である例えば、履き口内側スポンジ１７１、履き口中スポンジ１７２及び履き口外側スポンジ１７３が配置されている。
従って、幼児用靴１００を幼児が履く際に、足の踵が履き口部１４０の踵側に当接しても、履き口内側スポンジ１７１等によって幼児に不快感を与えない構成となっている。
【００３５】
また、履き口外側スポンジ１７３の外側には、通気性を有する履き口表地１７４が設けられ、その外側には、基部で折り返された把持片１５０の把持片芯地１７５および把持片表地１７６、把持片裏地１７６ａが形成されている。
また、図４の踵部１３０側には、接地面となる表面に靴底部１１０が形成されている。靴底部１１０は、ゴムから成るゴム層となっている。また、靴底部１１０の上には踵クッション１７８が形成され、これは、ＥＶＡ（エチレン・酢酸ビニル共重合体）からなるＥＶＡ層となっている。なお、これらを一体に形成してもよいのはもちろんである。
靴底部１１０から踵側のアッパー本体１２０の踵側までの踵部１３０の内側（内層）には、踵表地１７９を介して、剛性を高めるためのカウンター部である例えば、踵カウンター１８０が配置されている。なお、踵表地１７９上には、図示しない中敷が配置される。
【００３６】
この踵カウンター１８０は、樹脂や紙、繊維等の成形体で構成されており、踵部面ファスナー１６１に対応した位置、すなわち、踵部面ファスナー１６１の内側（図において左側）に配置されている。なお、この踵部面ファスナー１６１は、踵カウンター１８０近傍であれば僅かに上方に位置するよう配置してもよい。
したがって、図４の把持片面ファスナー１６０を踵部面ファスナー１６１と係合させ、把持片１５０を踵部１３０に固定する際、踵カウンター１８０により、その固定が強固な状態で維持されることになる。このため、上述のように図３の履き口部１４０の開口を広げる際に、その開口の大きさを把持片１５０の固定位置で調整したときも、その開口の広がり程度が変更せず、所望の大きさに維持させることができる。
また、踵カウンター１８０の近傍に把持片１５０が把持片面ファスナー１６０等を介して固定されることで、把持片芯地１７５等により把持片１５０の剛性も高いこともあって、踵部１３０全体の剛性がさらに高まり、幼児等が履きやすい幼児用靴１００となる。
【００３７】
ところで、図１の靴底部１１０の爪先側はアッパー本体側に回り込むように配置されているため、幼児の歩行に際し、地面等に当接し易い部分である爪先（トウスプリング）側を特に保護しつつ、歩き易くすることが可能となっている。
また、図１に示すように、幼児用靴１００には、挿入された幼児等の足の甲を押さえる舌状当接部１９０が形成されている。そして、この舌状当接部１９０を押さえるように第１ベルト部１９１と第２ベルト部１９２が配置されている。
第１ベルト部１９１は第２ベルト部１９２より太く形成され、相互に略平行に配置されている。そして、第１ベルト部１９１は、アッパー本体１２０の外足側で面ファスナー等の係合手段によって着脱されるよう構成され、第２ベルト部１９２は、逆にアッパー本体１２０の内足側で面ファスナー等の係合手段によって着脱されるよう構成されているため、調整しつつ左右のバランスよく足を保持できるよう形成されている。
また、第１ベルト部１９１の略中間には、図１に示すように、その内側にベルト面ファスナー１９１ａが形成され、このベルト面ファスナー１９１ａに対応して舌状当接部１９０の表面には、図示しない当接部面ファスナーが形成されている。
このため、ベルト面ファスナー１９１ａと当接部面ファスナーが係合することで、第１ベルト部１９１が舌状当接部１９０の移動を制御する構成となっている。
【００３８】
（第２の実施の形態）
図５は、本発明の第２の実施の形態に係る幼児用靴を示す概略図である。図５に示すように、本変形例では、上述の実施の形態と異なり、舌状当接部２９０とベルト部２９１が一体的に形成されている。このため、ベルト部２９１をアッパー本体部２２０に対して面ファスナー等で固定することで、容易且つ正確に舌状当接部２９０を足に対して配置することが可能な構成となっている。
また、本変形例でも履き口部２４０、踵カウンター２８０、踵部２３０、靴底部２１０等が、第１の実施の形態と同様に配置されている。
これに対して、本実施の形態では、第１の実施の形態と比べ、把持片１５０の構成が異なる。すなわち、履き口突出部２４１から延出され、履き口２４０から突出して形成された突片２５０は、折り返され、履き口２４０を拡げるよう変形された状態で、その先端２５０ａ側が、踵部２３０の外面に当接する位置で、直接、縫合や接着され固定されている。
つまり、第１の実施の形態とは異なり、拡開状態固定部１６０ａを踵部面ファスナー１６１に係合させた状態の位置、すなわち、履き口部２４０を拡げた状態で突片２５０を踵部２３０の外面で固定しているため、突片２５０は着脱できない構成とされている。
そのため、状況に応じて履き口の状態を選択するのではなく、履き口部２４０が拡げられた状態で固定されているため、幼児等が自ら脱ぎ履きする行為を行いやすい。
なお、本実施の形態では突片２５０の先端２５０ａのみを縫合することで、突片２５０の両側縁が開口となり、脱ぎ履きする際のツマミと機能するよう構成しているが、突片２５０全体をアッパー本体２２０の踵側外面に固定しても構わない。
【００３９】
（第３の実施の形態）
図６は、本発明の第３の実施の形態に係る幼児用靴３００を示す概略斜視図であり、図７は、図６のＤ−Ｄ‘線概略端面図である。
本実施の形態の多くの構成は、上述の第１の実施の形態や第２の実施の形態に係る幼児用靴１００、２００の構成と共通するため、共通する構成は同一符号等として説明を省略し、以下、相違点を中心に説明する。
本実施の形態の幼児用靴３００は、上述の第２の実施の形態の幼児用靴２００と同様に舌状当接部とベルト部が一体となっているベルト一体型舌状当接部３９０となっている。  しかし、上述の幼児用靴２００と異なり、ベルト一体型舌状当接部３９０の舌状当接部３９０ｂから一方向に延伸されたベルト部３９０ａの固定用面ファスナー３９１は、幼児用靴３００の内足側（内甲側）にのみ形成され、外足側（外甲側）には形成されていない構成となっている。
つまり、ベルト一体型舌状当接部３９０の外足側は、アッパー本体部３２０と一体に形成され、アッパー本体部３２０に対して固定されている。
【００４０】
このように、ベルト一体型舌状当接部３９０の内足側のみを着脱可能にし、ベルト一体型舌状当接部３９０を内足側から外足側に向かって開くように構成することで以下のような利点がある。
幼児等が靴を着脱する様子を観察した発明者は、幼児が靴の外足側ではなくて内足側を見て靴を着脱する事実を発見した。つまり、靴を着脱するとき、幼児は股を開いて操作するため靴の内足側を見ることになる。
このような習性のある幼児に対して靴の外足側に舌状当接部等の着脱用の面ファスナーを配置すると、幼児は面ファスナーのある側を、自分が見やすい内側になるようにして、靴を履くことになる。
すると、幼児が靴を左右反対に履くことになる。幼児が靴を左右反対に履くことは、以前よりよく見られたが、その原因は、このような習性にあることがわかった。
また、手の動きという意味でも、この時期の幼児は靴と同じ側の手でベルトを操作しようとする傾向があるが（靴の右足側は右手、左足側は左手）、このように操作する場合、手首を内側から外側に移動させる動き（回外）の方が操作を行い易い。これに対して、従来の靴では、ベルトの着脱が逆の回内の動き（外側から内側）となってしまうため力がいれづらい。
さらに、従来の靴では、靴を履くために、舌状当接部等を開くと、ベルトが内足側に向かって開く構造となっているため、開いた状態のベルトの端部を靴と同じ側の手（右足側を右手等）で操作すると、その手が内足側に位置し、手が足と交差する位置になってしまい、足の挿入を妨げるという問題があった。
この点、本実施の形態では、ベルト一体型舌状当接部３９０は、外足側に向かって開き、開いた状態では手が足の外側に位置するため、足を挿入する動きを妨げることがない。
そこで、本実施の形態では、図６に示すように、ベルト一体型舌状当接部３９０の固定用面ファスナー３９１を幼児用靴３００の内足側のみに配置することで、幼児が幼児用靴３００を履きやすい構成としている。
また、このように配置することで、幼児が幼児用靴３００を左右反対に履くことを未然に防止できることになる。
【００４１】
また、本実施の形態では、図７の履き口部踵側３４１には、幼児等の足が当接する天面部（例えば、図６及び図７の上端部）から図７の踵側内面３３０ａにわたって、図７に示す、起毛層３３４が形成されている。
起毛層３３４は、具体的には、履き口部踵側３４１の内面側の下部（インソール３４２との接合部）から、履き口部踵側３４１の外面側の上部領域３４１ｂに亘って、履き口部３４０の踵側の幅と同じとなるよう、起毛層端部３３４ａの幅で配置されている。
なお、起毛層３３４を履き口部踵側３４１の内側における略中央領域まで配置する構成としてもよい。
また、本実施の形態では、起毛層３３４の上部領域３４１ｂを縫製する際に、履き口部踵側３４１を僅かに外方に変形させながら縫製することで、履き口部３４０が開いた状態となって履き易いように形成している。なお、履き口部３４０を変形させずに起毛層３３４だけを配置するよう構成してもよい。
この起毛層３３４は、例えば主生地の表面から多数の繊維が延伸されている起毛布であって、別珍等のパイル組織等により形成されている。
そして、この起毛層３３４は、一定の角度を持って一方向に起毛するよう配置されており、履き口部踵側３４１の内面における上方から下方に向かって毛が傾くよう配置されている。そして、幼児が、幼児用靴３００を脱ぐ際に、幼児の足に摩擦抵抗が生じやすい摩擦面を構成している。
一方、この起毛層３３４は、幼児が幼児用靴３００を履く際には、摩擦抵抗面とならず、逆に、履き口部踵側３４１上面に踵を当接させると、踵が履き口３４０内に向かって案内される案内面となっており、幼児の足を幼児用靴３００内部に導く働きを発揮する構成となっている。したがって、起毛層３３４は、一方向に摩擦抵抗が生じやすく、他方向には案内できるという方向性を有する材料によって摩擦面とされた足案内面の一例となっている。
【００４２】
このように、起毛層３３４が形成されているため、例えば、幼児等が幼児用靴３００を履く際には、その足が、起毛層３３４に案内されてアッパー本体部３２０内に導かれる構成とすることができるので、履きやすい幼児用靴３００となる。
また、幼児が、幼児用靴３００を履いて歩行するときは、幼児の足の踵が靴から出る方向に移動すると、起毛層３３４で抵抗が生じるようになっているので、幼児の足の踵を幼児用靴３００内に確実に保持（ホールド）させることができる構成となっている。したがって、幼児が歩行中、脱げにくい幼児用靴３００となっている。
【００４３】
また、本実施の形態では、図７に示すように履き口部踵側３４１の内面側上部には、履口３４０の周縁に沿うように、踵部内面３３０ａよりも爪先側（図７の左側）に突出して形成される踵保持部３４１ａが配置されている。
そして、踵保持部３４１ａは、柔軟な材質からなるクッション層である例えば、踵クッション３４４を有している。踵クッション３４４は、例えば、比較的厚みがあって足の形状にフィットするよう、スポンジ状や綿が収容された袋状とされている。
また、踵保持部３４１ａには、弾性を有しながらも、踵クッション３４４より剛性が高く、コシがある形状保持層３３３が配置されており、形状保持層３３３は、例えば、発泡エラストマーによるスポンジやＥＶＡ（エチレン・酢酸ビニル共重合体）樹脂等から形成されている。
この形状保持層３３３は、踵保持部３４１ａ内で生地の伸びを抑えるための不織布３４３と一体に積層された、上下方向に延びる芯材層３３３ａと、踵保持部３４１ａの周面に沿って起毛層３３４の内側に積層されて、当接する足や踵保持部３４１ａを保護する外周層３３３ｂから形成されている。
なお、形状保持層３３３には、必ずしも芯材層３３３ａ、外周層３３３ｂの両方が形成される必要はなく、踵保持部３４１ａの形状保持が可能であれば、どちらか一方であってもよく、また、カウンター３８０と同様に硬質材料を使用してもよい。
踵保持部３４１ａは、この他に、柔軟で通気性を有する表地となるメッシュ生地３４２や外部からの衝撃を和らげる外側クッション３４５等を有している。
したがって、幼児が幼児用靴３００を履く際に、履き口部３４０から足を入れる際、足の踵が履き口部踵側３４１を踏んでも、履き口部踵側３４１が潰れ難く、起毛層３３４による足の案内とあいまって、例えベルト一体型舌状当接部３９０の操作が上手くできなくても、幼児が自ら履き易い構成となっている。
また、幼児が靴を履いた後は、図７の踵保持部３４１ａが爪先側（図７の左側）に突出するように形成されているので、幼児の足の踵が踵保持部３４１ａによって保持され、起毛層３３４による足への摩擦抵抗とあいまって、脱げ難い構成となっている。
【００４４】
なお、幼児用靴３００の踵部３３０には、起毛層３３４や形状保持層３３３以外に、剛性のあるカウンター３８０、柔軟性のある踵側スポンジ３３２や、紋湿式ポリウレタンやヌバックポリウレタン等の合成皮革や天然皮革等から形成された剛性を有する表地であって、靴の形状保持性を高める皮革層３３１等が配置されている。
また、図６の靴底部３１０には、図７に示すように、靴底生地３１１、靴底クッション３１２及びソール３１３が配置されている。
さらに、靴底部３１０に上方には、図７に示すように、着脱可能にインソール３４２が配置される構成ともなっている。
【００４５】
発明は、上述の各実施の形態に限定されない。例えば、折り返し固定部である把持片面ファスナー１６０と踵部面ファスナー１６１を、面ファスナーではなく、ホック等の他の係合手段で構成してもよい。この場合は、踵部１６１側に拡開状態固定部１６０ａと足保持状態固定部１６０ｂに対応した二つのホックを設け、把持片１５０側に対応した一つのホックを設けることで、第１の実施の形態同様に機能するよう構成してもよい。
同様に、舌状当接部１９０の保持も、面ファスナーを使用した第１ベルト部１９１，第２ベルト部１９２ではなく、所謂バックルを使用したベルトや、靴紐を使用したものであってもよい。
また、把持片１５０内面に繰り返して接着可能な接着剤を配置し、折り返し固定部が一方のみに形成されている場合でも、第１の実施の形態と同様に履き口１４０の大きさを調整できるよう構成してもよく、通常の接着剤を使用し、第２の実施の形態と同様に履き口２４０を拡げた状態で維持できるよう構成してもよい。
さらに、例えば、アッパー本体１２０は、軟らかく通気性のよいメッシュ材料の上に、剛性を有する皮革層を適宜配置した靴の形態とされているが、メッシュ材の部分が存在しない所謂サンダルの形態とされていてもよい。
なお、上述の各実施の形態は、相互に組み合わせて構成するようにしてもよい。
【図面の簡単な説明】
【００４６】
【図１】本発明の第１の実施の形態に係る幼児用靴を示す概略斜視図である。
【図２】図１の把持片を折り返さない状態示す概略図である。
【図３】図２の把持片の把持片面ファスナーの拡開状態固定部を踵部面ファスナーと係合させた状態を示す概略図である。
【図４】図１の履き口部の踵側、把持片及び踵部等の断面を示す概略図である。
【図５】本発明の第２の実施の形態にかかる幼児用靴を示す概略図である。
【図６】本発明の第３の実施の形態に係る幼児用靴を示す概略斜視図である。
【図７】図６のＤ−Ｄ‘線概略端面図である。
【符号の説明】
【００４７】
１００・・・幼児用靴、１１０・・・靴底部、１４０・・・履き口部、１４１・・・履き口突出部、１５０・・・把持片、１６０・・・把持片面ファスナー、１６０ａ・・・拡開状態固定部、１６０ｂ・・・足保持状態固定部、１６１・・・踵部面ファスナー、１７１・・・履き口内側スポンジ、１７２・・・履き口中スポンジ、１７３・・・履き口外側スポンジ、１８０・・・踵クッション２５０・・・突片
【図１】
2007125365.tif 000003
【図２】
2007125365.tif 000004
【図３】
2007125365.tif 000005
【図４】
2007125365.tif 000006
【図５】
2007125365.tif 000007
【図６】
2007125365.tif 000008
【図７】
2007125365.tif 000009